(57)【特許請求の範囲】
【請求項１】
少なくとも１つの押圧部材を有する駆動可能なロータと、
内部に前記ロータが回転可能に配設された円筒状のステータと、
入口側と出口側を有し、内壁に対向して前記ステータ周りの円周方向に延びる可撓性チューブと、
前記ロータと前記円周方向に延びる前記可撓性チューブの間に位置する径方向に変形可能なリングを備え、前記リングは、前記ロータの回転時に前記少なくとも１つの押圧部材により変形可能であり、これにより前記可撓性チューブを前記円筒状のステータの前記内壁に対して圧縮して、前記可撓性チューブに沿って液体を搬送するようになっている一方、
前記径方向に変形可能なリングは、リングアンカーを含んでおり、
前記可撓性チューブの前記入口側と前記出口側は、前記可撓性チューブが前記円筒状のステータから離れる方向の外方に向かって略径方向に延びるように並んで配列されていると共に、
前記リングアンカーは、前記径方向に変形可能なリングから径方向外方に向かって突出しかつ前記可撓性チューブの前記入口側と前記出口側の間に配置されかつ把持されていることで、前記可撓性チューブの前記入口側と前記出口側の対向面から前記リングアンカーに把持力が直接及ぼされることにより前記ロータの回転中に前記径方向に変形可能なリングの回転を防止する
ことを特徴とする蠕動ポンプ。
【請求項２】
前記リングアンカーは、前記径方向に変形可能なリングから径方向外方に向かって突出する指状である請求項１に記載の蠕動ポンプ。
【請求項３】
前記径方向に変形可能なリングは、前記可撓性チューブの外径よりも大きい軸方向深さを有している請求項１または２に記載の蠕動ポンプ。
【請求項４】
前記径方向に変形可能なリングは、前記円筒状のステータの前記内壁に向かって径方向外方に突出する軸方向一方のリム上において複数の円周方向に間隔を置いて配置された放射状突起を含んでいる請求項１〜３の何れか１項に記載の蠕動ポンプ。
【請求項５】
少なくとも１つの押圧部材を有する駆動可能なロータと、
内部に前記ロータが回転可能に配設された円筒状のステータと、
入口側と出口側を有し、内壁に対向して前記ステータ周りの円周方向に延びる可撓性チューブと、
前記ロータと前記円周方向に延びる前記可撓性チューブの間に位置する径方向に変形可能なリングを備え、前記リングは、前記ロータの回転時に前記少なくとも１つの押圧部材により変形可能であり、これにより前記可撓性チューブを前記円筒状のステータの前記内壁に対して圧縮して、前記可撓性チューブに沿って液体を搬送するようになっている一方、
前記径方向に変形可能なリングは、リングアンカーを含んでおり、
前記可撓性チューブの前記入口側と前記出口側は、前記可撓性チューブが前記円筒状のステータから離れる方向の外方に向かって略径方向に延びるように並んで配列されていると共に、
前記リングアンカーは、前記径方向に変形可能なリングから径方向外方に向かって突出しかつ前記可撓性チューブの前記入口側と前記出口側の間に配置されかつ把持されていることで前記ロータの回転中に前記径方向に変形可能なリングの回転を防止し、
前記径方向に変形可能なリングは、前記円筒状のステータの前記内壁に向かって径方向外方に突出する軸方向一方のリム上において複数の円周方向に間隔を置いて配置された放射状突起を含んでおり、
前記ロータは、前記円筒状のステータ内の前記可撓性チューブと前記径方向に変形可能なリングを軸方向に保持する円形のフランジを含む一方、前記径方向に変形可能なリングは、前記円形のフランジに接触する前記放射状突起を有して前記ステータ内に配置されていることを特徴とする蠕動ポンプ。
【請求項６】
前記径方向に変形可能なリングは、軸方向他方のリム上に、前記リングアンカーから前記可撓性チューブの前記入口側および前記出口側に亘って延びる位置決め配列を含んでいる請求項１〜５の何れか１項に記載の蠕動ポンプ。
【請求項７】
前記位置決め配列は、位置決めフランジを含んでいる請求項６に記載の蠕動ポンプ。
【請求項８】
前記位置決め配列は、対向する一対の位置決め突起を含んでいる請求項６に記載の蠕動ポンプ。
【請求項９】
前記ロータは、前記ロータの前記円周周りに等間隔に配置された複数の前記押圧部材を備えている請求項１〜８の何れか１項に記載の蠕動ポンプ。
【請求項１０】
前記ロータはスピンドルを有しており、前記押圧部材は前記スピンドルと一体的に形成されている請求項１〜９の何れか１項に記載の蠕動ポンプ。
【請求項１１】
前記押圧部材が丸い突出部である請求項１〜１０の何れか１項に記載の蠕動ポンプ。
【請求項１２】
前記丸い突出部は、前記ロータの回転中に前記可撓性チューブを前記円筒状のステータの前記内壁に対して次第に圧縮するように構成された、円弧状の押圧面を有している請求項１１に記載の蠕動ポンプ。
【請求項１３】
前記丸い突出部は、前記円弧状の押圧面が終端する頂点を有し、前記頂点が、前記可撓性チューブを前記円筒状のステータの前記内壁に対して圧縮するように構成されている請求項１２に記載の蠕動ポンプ。
【請求項１４】
前記ロータは、直径方向に対向する位置にある、前記丸い突出部の２つを含んでいる請求項１２または１３に記載の蠕動ポンプ。
【請求項１５】
前記ロータは、外部回転駆動装置に接続可能である請求項１〜１４の何れか１項に記載の蠕動ポンプ。
【請求項１６】
請求項１〜１５の何れか１項に記載の蠕動ポンプを組み立てる方法であって、前記方法は、
前記可撓性チューブを、前記径方向に変形可能なリングの周りの円周方向に接触するようにかつ前記リングアンカーの両側に並んで配列された前記可撓性チューブの前記入口側と前記出口側を備えるように配置するステップと、
前記可撓性チューブと前記径方向に変形可能なリングを、前記可撓性チューブが前記円筒状のステータの前記内壁に対向して配列されるように前記円筒状のステータ内に配置するステップと、
前記ロータを回転させると同時に前記ロータを前記径方向に変形可能なリングの中心に押し込むことにより、前記ロータを前記円筒状のステータ内に取り付けるステップを備えている
ことを特徴とする蠕動ポンプを組み立てる方法。
【発明の詳細な説明】
【技術分野】
【０００１】
本発明は、蠕動ポンプに関するものである。
【背景技術】
【０００２】
蠕動ポンプは、多種多様な用途で液体をポンプで吸い出すために使われており、特に液体の流れを慎重に計量する必要がある場合や液体の汚染を回避する必要がある場合に用いられている。これらは、例えば静脈内輸液を患者に投与するといった医療用途や、例えば所定量の飲料または液体香味料などの飲料の成分を調合するといった食品および飲料の用途において広く用いられている。
【０００３】
従来の蠕動ポンプでは、可撓性チューブが、ロータとステータの押圧部材（例えば、ピンまたはローラ）の間で圧縮されて、ロータが回転するにつれて可撓性チューブを介して液体が搬送されている。しかしながら、押圧部材とチューブとの間の摩擦は、多くの問題、特に可撓性チューブの早期摩耗の原因となり得る。本発明は、これに対処することを目的とする。
【発明の概要】
【０００４】
本発明の第一の態様によれば、蠕動ポンプは、少なくとも１つの押圧部材を有する駆動可能なロータと、内部に前記ロータが回転可能に配設された円筒状のステータと、入口側と出口側を有し、内壁に対向して前記ステータ周りの円周方向に延びる可撓性チューブと、前記ロータと前記円周方向に延びる前記可撓性チューブの間に位置する径方向に変形可能なリングを備え、前記リングは、前記ロータの回転時に前記少なくとも１つの押圧部材により変形可能であり、これにより前記可撓性チューブを前記円筒状のステータの前記内壁に対して圧縮して、前記可撓性チューブに沿って液体を搬送するようになっている一方、前記径方向に変形可能なリングは、前記ロータの回転中に前記径方向に変形可能なリングの回転を防止するリングアンカーを含んでいることを特徴とする。
【０００５】
本発明の第二の態様によれば、前記第一の態様に記載の蠕動ポンプを組み立てる方法であって、前記方法は、前記可撓性チューブを、前記径方向に変形可能なリングの周りの円周方向に接触するようにかつ前記リングアンカーの両側に並んで配列された前記可撓性チューブの前記入口側と前記出口側を備えるように配置するステップと、前記可撓性チューブと前記径方向に変形可能なリングを、前記可撓性チューブが前記円筒状のステータの前記内壁に対向して配列されるように前記円筒状のステータ内に配置するステップと、前記ロータを回転させると同時に前記ロータを前記径方向に変形可能なリングの中心に押し込むことにより、前記ロータを前記円筒状のステータ内に取り付けるステップを備えていることを特徴とする。
【０００６】
本明細書で使用される液体という用語は、液体および半液体生成物を含むものである。
【０００７】
前記ロータは、複数の前記押圧部材を有し、前記押圧部材は、前記ロータの周囲に等間隔に配置されていてもよい。前記ロータは、スピンドルを含んでいてもよい。前記スピンドルと前記押圧部材とは一体的に形成されていてもよい。また、前記押圧部材は、丸い突出部であってもよい。
【０００８】
一実施形態では、前記丸い突出部は、前記ロータの回転中に前記可撓性チューブを前記円筒状のステータの前記内壁に対して次第に圧縮するように構成された、円弧状の押圧面を有していてもよい。前記丸い突出部は、前記円弧状の押圧面が終端する頂点を有してもよく、前記頂点が、前記可撓性チューブを前記円筒状のステータの前記内壁に対して十分に圧縮するように構成されていてもよい。前記ロータは、直径方向に対向する位置にある、前記丸い突出部の２つを含んでいてもよい。
【０００９】
従来の蠕動ポンプでは、可撓性チューブは、ロータの回転中に押圧部材によって付与される摩擦力のために、高い磨耗率にさらされる。したがって、可撓性チューブの早期摩耗を回避するために、高摩擦力に耐えることができる高価で高級な可撓性チューブを使用することが一般に必要である。本発明の蠕動ポンプにおいて、径方向に変形可能なリングは、押圧部材と可撓性チューブ間の直接的な接触を防止しており、その代わりとして、径方向に変形可能なリングによって可撓性チューブに径方向の圧縮力が加えられる。その結果、可撓性チューブは、ポンプの作動中に摩耗することはない。加えて、径方向に変形可能なリングがリングアンカーによって静止状態に保持されていることから、可撓性チューブが引き伸ばされたり、挟まれたりすることはない。このことは、より低い等級（したがってより安価な）の可撓性チューブを一般的に使用することができることを意味している。
【００１０】
前記ロータは、外部回転駆動装置に接続可能であってもよい。この構成により、蠕動ポンプは製造が容易かつ安価に製造でき、使い捨てシステムとして容易に提供できる。特に、回転駆動装置は、蠕動ポンプのロータに接続する別体の構成要素であることから、蠕動ポンプは簡単で安価な構成を有しており、例えば、蠕動ポンプは液体容器に一体的に形成されていてもよいし取り付けられていてもよい、また例えば液体容器が空である場合には、蠕動ポンプは液体容器と一緒に配置可能である。
【００１１】
可撓性チューブの入口側と出口側は、円筒状のステータの円周方向に隣接する位置に並んで配列されていてもよく、これにより可撓性チューブが円筒状のステータから離れる方向の外方に向かって略径方向に延びるようにしてもよい。リングアンカーは、変形可能なリングから径方向外方に向かって突出していてもよいし、可撓性チューブの入口側と出口側の間に配置されていてもよい。リングアンカーは、可撓性チューブの入口側と出口側の間に把持されていてもよい。リングアンカーは、径方向に変形可能なリングから径方向外方に向かって突出する指状であってもよい。この構成は、径方向に変形可能なリングの回転を防止する便利な手段を提供している。
【００１２】
径方向に変形可能なリングは、可撓性チューブの外径よりも大きい軸方向深さを有していてもよい。
【００１３】
径方向に変形可能なリングは、円筒状のステータの内壁に向かって径方向外方に突出する第一軸方向リム上において複数の円周方向に間隔を置いて配置された放射状突起を含んでいてもよい。かかる放射状突起は、可撓性チューブを径方向に変形可能なリング上において軸方向に保持する手助けとなっていてもよい、特に、可撓性チューブおよび径方向に変形可能なリングが、蠕動ポンプの組み立て中に円筒状のステータ内に配置されている間は。
【００１４】
ロータは、円筒状のステータ内の可撓性チューブと径方向に変形可能なリングを軸方向に保持する円形のフランジを含んでいてもよい。一実施形態では、径方向に変形可能なリングは、円形のフランジに接触する放射状突起を有してステータ内に配置されていてもよい。本実施形態では、放射状突起が簡単な軸受部材として作用し、回転する円形のフランジの軸方向内側の表面から可撓性チューブを一定間隔空ける。これによって、ロータの回転時に回転する円形のフランジと静止する可撓性チューブ間の摩擦力を低減することから、ロータの回転中に円形のフランジによって可撓性チューブが挟まれたり引き伸ばされたりすることを防止している。
【００１５】
径方向に変形可能なリングは、位置決め配列を含んでいてもよい。かかる位置決め配列は、第二軸方向リム上に設けられてもよい。位置決め配列は、リングアンカーから可撓性チューブの入口側および出口側に亘って延びていてもよい。位置決め配列は、位置決めフランジを含んでいてもよいし、あるいは、対向する一対の位置決め突起を含んでいてもよい。
【００１６】
径方向に変形可能なリングは、径方向に変形可能なリング上の可撓性チューブの軸方向位置を提供できる位置決め部材を含んでいてもよい。位置決め部材は、径方向に変形可能なリングの軸方向の反対側の端部において第一リムと第二リムに設けられてもよい。位置決め部材は、可撓性チューブが径方向に変形可能なリング上に軸方向に保持されることを確実にする、特に、可撓性チューブおよび径方向に変形可能なリングが、蠕動ポンプの組み立て中に円筒状のステータ内に配置されている間は。
【００１７】
位置決め部材は、円周方向に間隔を置いて配置された複数の位置決め突起を含んでいてもよく、かかる位置決め突起は、第一リム上において径方向外方に突出していてもよい。位置決め突起は、第一リムの周りに等間隔に配置されていてもよい。位置決め部材は、第二リム上に位置決めフランジを含んでいてもよく、かかる位置決めフランジは、リングアンカーから可撓性チューブの入口側および出口側に亘って延びるように構成されている。
【図面の簡単な説明】
【００１８】
【図１ａ】ロータがある回転位置にある本発明の第一の実施形態としての蠕動ポンプを示す断面図。
【図１ｂ】ロータが図１ａとは異なる回転位置にある本発明の第一の実施形態としての蠕動ポンプを示す断面図。
【図２ａ】図１ａ，１ｂに示す径方向に変形可能なリングの詳細を示す斜視図。
【図２ｂ】図１ａ，１ｂに示す径方向に変形可能なリングの詳細を示す斜視図であって、図２ａとは異なる方向から見た図。
【図３】円筒状のステータ内に配置される前の、径方向に変形可能なリングの周りに配置された可撓性チューブを示す斜視図。
【図４】ロータが円筒状のステータに嵌め込まれる前の、円筒状のステータ内に配置された可撓性チューブおよび径方向に変形可能なリングを示す斜視図。
【図５】ロータの詳細図。
【図６ａ】ロータがある回転位置にある本発明の第二の実施形態としての蠕動ポンプを示す断面図。
【図６ｂ】ロータが図６ａとは異なる回転位置にある本発明の第二の実施形態としての蠕動ポンプを示す断面図。
【図７ａ】図６ａ，６ｂに示す径方向に変形可能なリングの詳細を示す斜視図。
【図７ｂ】図６ａ，６ｂに示す径方向に変形可能なリングの詳細を示す斜視図であって、図７ａとは異なる方向から見た図。
【図８】径方向に変形可能なリングの周囲に配置された可撓性チューブを有する図７に示す径方向に変形可能なリングの軸方向図。
【図９】円筒状のステータ内に配置される前の、径方向に変形可能なリングの周りに配置された可撓性チューブを示す斜視図。
【図１０】ロータが円筒状のステータに嵌め込まれる前の、円筒状のステータ内に配置された可撓性チューブおよび径方向に変形可能なリングを示す斜視図。
【図１１】ロータの詳細図。
【図１２ａ】ロータがある回転位置にある本発明の第二の実施形態を示す断面図。
【図１２ｂ】ロータが図１２ａとは異なる回転位置にある本発明の第二の実施形態を示す断面図。
【発明を実施するための形態】
【００１９】
以下、本発明の実施形態について、図面を参照しつつ説明する。
【００２０】
蠕動ポンプ１０，５０は、円筒状のステータ１２を含んでいる。図示はしていないが、円筒状のステータ１２は、例えば一体成形により一体的に形成されて投与される液体を有する液体容器を備えていてもよいし、液体容器に着脱可能に取り付けられていてもよい。
【００２１】
図１〜５には、本発明の第一の実施形態としての、ロータ１４（図５参照）を含む蠕動ポンプ１０が示されている。ロータ１４は、一般的には、成形された十分に硬質のプラスチック材料で形成されている。ロータ１４は、スピンドル１８と一体的に形成されると共にスピンドル１８から径方向外方に向かって突出し、かつスピンドル１８の周囲に等間隔に配置されている、丸い突出部１６のような形の複数の押圧部材１５を含んでいる。例示された実施形態では、ロータ１４は３つの丸い突出部１６を含んでいるが、ロータ１４が任意の数の丸い突出部１６を含み得ることは理解されるであろう。スピンドル１８は、電動モータの駆動軸のような外部回転駆動装置（図示せず）と接続可能とされた中央駆動開口部２０を含んでいる。
【００２２】
蠕動ポンプ１０は、ポリ塩化ビニルのような任意の好適な弾性プラスチック材料で形成できる可撓性チューブ２２を含んでいる。可撓性チューブ２２は、液体が蠕動ポンプ１０に供給される入口側２４と、液体が蠕動ポンプ１０から送出される出口側２６とを有している。入口側２４と出口側２６は、ロータ１４の標準の回転方向（添付の図面で時計回り）に対して指定されている。入口側２４は、一般的には、液体容器（図示せず）の液体出口ポートに接続される一方、出口側２６は、液体を所望の位置に送達するように構成されている。可撓性チューブ２２は、内壁１２ａに対向して円筒状のステータ１２の周方向に延びており、入口側２４および出口側２６は、円筒状のステータ１２の周方向に隣接する位置に並んで配列されている。入口側２４および出口側２６は、略径方向に向かって円筒状のステータ１２から離隔方向の外方に向かって延び出している。
【００２３】
径方向に変形可能なリング２８は、弾性的に変形可能な好適な材料（一般的には、プラスチック材料）を含んでおり、ロータ１４と周方向に延びる可撓性チューブ２２の間に配置されている。変形可能なリング２８は、図１ａおよび図１ｂに示すように、ロータ１４の丸い突出部１６に接触されて丸い突出部１６により径方向外側に変形されている。変形可能なリング２８の径方向外方への変形は、可撓性チューブ２２を円筒状のステータ１２の内壁１２ａに対して圧縮し、これにより、外部回転駆動装置によってロータ１４が回転されている時に、変形可能なリング２８と内壁１２ａ間における可撓性チューブ２２の圧縮が、蠕動動作により入口側２４と出口側２６との間で可撓性チューブ２２に沿って液体を搬送する。（図１ａおよび図１ｂに示すように、ロータ１４を時計回りに回転させることにより、）通常、液体は可撓性チューブの入口側２４から出口側２６へと搬送されるが、流れる方向は容易に反転させることができ、当然のことながら外部回転駆動装置の回転の方向を時計回りまたは反時計回りに単に選択することにより、所望の流れる方向が選択され得る。
【００２４】
変形可能なリング２８は、変形可能なリング２８から径方向に突出する指状３２のような形のリングアンカー３０を含んでいる。リングアンカー３０は、可撓性チューブ２２の入口側２４と出口側２６の間に位置し、かつ、（径方向外向きに）十分な長さと、可撓性チューブ２２の入口側２４と出口側２６との間の位置から外れることができないような（周方向の）十分な幅を有している。それゆえ、当然のことながら、リングアンカー３０は、ロータ１４が円筒状のステータ１２内で回転する際に、変形可能なリング２８がロータ１４によって回転されることを防止している。リングアンカー３０が設けられていない場合には、変形可能なリング２８がロータ１４によって回転させられ、これにより変形可能なリング２８と円筒状のステータ１２の内壁１２ａとの間で可撓性チューブ２２の望ましくない伸張および磨耗が生じてしまう。
【００２５】
図３に示すように、変形可能なリング２８は、可撓性チューブ２２の外径よりも大きい軸方向深さを有している。蠕動ポンプ１０の組み立てを手助けするために、変形可能なリング２８は、可撓性チューブ２２を変形可能なリング２８の周りに配置する手助けをすると共に可撓性チューブ２２が変形可能なリング２８から軸方向に外れるのを防止する、複数の位置決め部材３４を備えている。
【００２６】
例示の実施形態では、位置決め部材３４は、変形可能なリング２８の第一リム２８ａ上の複数の位置決め突起３６を含んでいる。位置決め突起３６は、円筒状のステータ１２の内壁１２ａに向けて用いられるように、変形可能なリング２８からわずかな距離だけ径方向外側に向かって突出していると共に、第一リム２８ａの周囲に等間隔に設けられている。位置決め部材３４は、第二リム２８ｂ上に位置決めフランジ３８をさらに備えており、位置決めフランジ３８は、可撓性チューブ２２の入口側２４と出口側２６を越えてリングアンカー３０から側方に延び出すように構成されている。それゆえ、当然のことながら、位置決め突起３６は、可撓性チューブ２２が変形可能なリング２８の第一リム２８ａの軸方向に外れるのを防止すると共に、位置決めフランジ３８は、可撓性チューブ２２が第二リム２８ｂの軸方向に対して反対方向にずれるのを防止する手助けをしている。
【００２７】
ここでは、蠕動ポンプ１０の組み立て方法を、図３および図４を参考にして説明する。はじめに、可撓性チューブ２２は、可撓性チューブ２２が変形可能なリング２８の径方向外表面に接触するように、また可撓性チューブ２２の入口側２４および出口側２６がリングアンカー３０の両側に並んで配置されるように、変形可能なリング２８の周囲に配置される。当然のことながら、位置決め突起３６と位置決めフランジ３８は、ユーザが可撓性チューブ２２を変形可能なリング２８の周囲に配置する手助けをすると共に、組立中に可撓性チューブ２２が変形可能なリング２８から軸方向に外れるのを防止している。組み立てられた可撓性チューブ２２と変形可能なリング２８は、図面上で矢印Ａで示されているように例えば圧搾によって圧縮される一方、矢印Ｂ方向で円筒状のステータ１２の中に押し込むことができるような十分な大きさとされている。
【００２８】
可撓性チューブ２２と変形可能なリング２８が一旦図４に示すように円筒状のステータ１２内に配置されると、ロータ１４が取り付け可能となり、このことは、図面上で矢印Ｃで示されているようにロータ１４を変形可能なリング２８の中心に押し込み、同時に図面上で矢印Ｄで示されているようにロータ１４を少しずつ回転させることによって達成される。ロータ１４が一旦変形可能なリング２８の中心に嵌め込まれると、円形のフランジ１４ａもまた、可撓性チューブ２２を円筒状のステータ１２内の正しい位置に保持する手助けとなっていてもよい。一旦組み立てられると、中央駆動開口部２０は、ロータ１４を回転させるように操作可能な外部回転駆動装置に接続可能とされている。
【００２９】
図６〜１２に、本発明の第二の実施形態としての蠕動ポンプ５０が示されている。かかる蠕動ポンプ５０は、図１〜５に示す蠕動ポンプ１０と共通する多くの特徴を共有しており、同一の符号を用いることにより共通する特徴を有する部位が示されている。次に、蠕動ポンプ１０，５０間の相違について説明する。
【００３０】
蠕動ポンプ５０は、ロータ５２（図１１参照）を備えており、かかるロータ５２は、スピンドル１８と一体的に形成されかつスピンドル１８から径方向外方に向かって突出する２つの直径方向に対向する丸い突出部５４を含んでいる。図６ａおよび図６ｂに示すように、各丸い突出部５４は、スピンドル軸に対する半径が徐々にかつ滑らかに増加する曲線状あるいは円弧状の押圧面５４ａを有している。押圧面５４ａは、ロータ５２が円筒状のステータ１２内で時計回りに回転するにつれて、可撓性チューブ２２を円筒状のステータ１２の内壁１２ａに対して徐々に圧縮する。各丸い突出部５４はまた、押圧面５４ａが終端する頂点５４ｂを有している。図６ａおよび図６ｂから明らかなように、各頂点５４ｂは、必要とされる蠕動ポンプの動作を達成するために、可撓性チューブ２２を円筒状のステータ１２の内壁１２ａに対して十分に圧縮するように配列されている。
【００３１】
特に図７ａ，図７ｂおよび図８に示すように、蠕動ポンプ５０は、第一軸方向リム５６ａ上に円周方向に離間した複数の放射状突起５８を有する、径方向に変形可能なリング５６を備えている。かかる放射状突起５８は、円筒状のステータ１２の内壁１２ａに向かって径方向外方に突出されている。ロータ５２は、円筒状のステータ１２内に可撓性チューブ２２および径方向に変形可能なリング５６を軸方向に保持する円形のフランジ５２ａを含んでいる。図１２ａおよび図１２ｂに示すように、径方向に変形可能なリング５６は、放射状突起５８が円形のフランジ５２ａに接触するように、蠕動ポンプ５０の円筒状のステータ１２内に配列されている。放射状突起５８は、簡単な軸受部材または軸受フランジとして作用し、可撓性チューブ２２を円形のフランジ５２ａの軸方向内面から一定の距離を置く。上述したように、このことは、ロータ５２が回転している際に回転する円形のフランジ５２ａと可撓性チューブ２２間の摩擦力を低減あるいは除去すると共に、可撓性チューブ２２が円形のフランジ５２ａによって把持されて引き伸ばされることを防止している。
【００３２】
第二の実施形態では、放射状突起５８の主要な機能は、軸受部材または軸受フランジとして作用することであるが、また当然のことながら、放射状突起５８は第一の実施形態の位置決め突起３６と同様に、径方向に変形可能なリング５６上の可撓性チューブ２２の軸方向の位置決めおよび保持の手助けをする。
【００３３】
可撓性チューブ２２の軸方向の位置決めおよび保持をさらに手助けするために、径方向に変形可能なリング５６は、任意で、第二軸方向リム５６ｂ上に位置決め配列６０を含むことができる（図７ａ，図７ｂおよび図８参照）。位置決め配列６０は、可撓性チューブ２２の入口側２４および出口側２６に亘ってリングアンカー３０から延びる対向する一対の位置決め突起６２を備えている。
【００３４】
蠕動ポンプ５０の組み立て方法は、図３および図４を用いて説明した組立方法と本質的に同じである。すなわち、可撓性チューブ２２は、図９に示すように最初は、可撓性チューブ２２が変形可能なリング５６の径方向外側表面に接触するように、また可撓性チューブ２２の入口側２４と出口側２６がリングアンカー３０の両側に並んで配列されるように、変形可能なリング５６の周囲に配置されている。今回の実施形態では、放射状突起５８および位置決め突起６２が、ユーザが変形可能なリング５６の周囲に可撓性チューブ２２を位置決めする手助けとなってもよいし、組立時に可撓性チューブ２２が変形可能なリング５６から軸方向に外れるのを防止する手助けとなってもよい。次いで、組み立てられた可撓性チューブ２２および変形可能なリング５６が、図面上で矢印Ａで示されているように例えば圧搾によって圧縮されると共に、放射状突起５８の最上部を矢印Ｂの方向で円筒状のステータ１２内に押し込むことが可能な十分な大きさとされている。
【００３５】
図１０に示すように、一旦可撓性チューブ２２および変形可能なリング５６が円筒状のステータ１２内に配置されると、ロータ５２が取り付け可能となる。このことは、図面上で矢印Ｃで示されているように、ロータ１４を変形可能なリング５６の中心に押し込むと同時に、図面上で矢印Ｄで示されているように、ロータ５２を少しだけ回転させることによって達成される。一旦ロータ５２が変形可能なリング５６の中心に嵌め込まれると、円形のフランジ５２ａは、放射状突起５８に接触する。かかる放射状突起５８は、上述のように、円形のフランジ５２ａから可撓性チューブ２２を一定間隔空ける軸受フランジとして作用する。一旦組み立てられると、中央駆動開口部２０は、ロータ５２を回転させるように操作可能な外部回転駆動装置と接続可能となる。
【００３６】
代表的な実施形態が前述の段落で説明されてきたが、添付の特許請求の範囲から逸脱することなく、これらの実施形態に対して様々な修正を行うことができることを理解すべきである。したがって、特許請求の範囲の広さおよび範囲は、上記の代表的な実施形態に限定されるべきではない。請求項および図面を含む明細書に開示された各特徴は、特に断らない限り、同じ，等価または類似の目的に合う代替の特徴に置き換えてもよい。
【００３７】
例えば、ロータ１４，５２は、外部回転駆動装置の駆動シャフトの開口部に接続可能な中央駆動開口部２０の代わりに突起を含んでいてもよい。
【００３８】
文脈から明らかにそうでないことを要求していない限り、明細書および特許請求の範囲全体を通して、「備える又は含む」，「備えている又は含んでいる」等の単語は、排他的または網羅的な意味とは対照的に包括的に解釈されるべきである。すなわち、「含むが、これらに限定されない」という意味で。
【００３９】
上記特徴の全ての考え得る変形における任意の組み合わせは、特に断りのない限り、または文脈によって明らかに矛盾しない限り、本発明に含まれる。
【図１ａ】
0006797823.tif 000002
【図１ｂ】
0006797823.tif 000003
【図２ａ】
0006797823.tif 000004
【図２ｂ】
0006797823.tif 000005
【図３】
0006797823.tif 000006
【図４】
0006797823.tif 000007
【図５】
0006797823.tif 000008
【図６ａ】
0006797823.tif 000009
【図６ｂ】
0006797823.tif 000010
【図７ａ】
0006797823.tif 000011
【図７ｂ】
0006797823.tif 000012
【図８】
0006797823.tif 000013
【図９】
0006797823.tif 000014
【図１０】
0006797823.tif 000015
【図１１】
0006797823.tif 000016
【図１２ａ】
0006797823.tif 000017
【図１２ｂ】
0006797823.tif 000018